(57)【要約】      （修正有）【課題】複数種類のパッドを選択し得るブラジャーの提供。【解決手段】カップ部２の内側にパッド９０を保持する第１ポケット７０を備えたブラジャーにおいて、カップ部２の内側にさらに第２ポケット８０を備え、第１ポケット７０は、パッド９０を出し入れする第１ポケット口７２と、第１ポケット口７２に連通する第１開口部７３とを備え、第１ポケット口７２は、第２ポケット８０により覆われ、第２ポケット８０は、パッド９０を出し入れする第２ポケット口８２と、第１ポケット口７２に連通する第２開口部８３とを備える。【選択図】図２
0003224254.tif 000002
【実用新案登録請求の範囲】
【請求項１】
カップ部（２）の内側にパッド（９０〜９５）を保持する第１ポケット（７０）を備えたブラジャーにおいて、
前記カップ部（２）の内側にさらに第２ポケット（８０）を備え、
前記第１ポケット（７０）は、前記パッド（９０〜９５）を出し入れする第１ポケット口（７２）と、前記第１ポケット口（７２）に連通する第１開口部（７３）とを備え、
前記第１ポケット口（７２）は、前記第２ポケット（８０）により覆われ、
前記第２ポケット（８０）は、前記パッド（９０〜９５）を出し入れする第２ポケット口（８２）と、前記第１ポケット口（７２）に連通する第２開口部（８３）とを備える
ことを特徴とするブラジャー（１）。
【請求項２】
前記第１開口部（７３）は、脇側に開口し、
前記第２開口部（８３）は、上側に開口する
ことを特徴とする請求項１に記載のブラジャー（１）。
【請求項３】
前記第２ポケット（８０）は、前記第１ポケット（７０）よりも内側に位置する
ことを特徴とする請求項１又は２に記載のブラジャー（１）。
【請求項４】
前記第１ポケット（７０）及び前記第２ポケット（８０）の素材は、伸縮性を有する
ことを特徴とする請求項１〜３のいずれか一項に記載のブラジャー（１）。
【請求項５】
前記第１ポケット（７０）のサイズは、前記第２ポケット（８０）よりも大きく、
前記第２ポケット（８０）は、前記第１ポケット（７０）よりも上側に位置して前記第１ポケット口（７２）を覆い、
前記第２ポケット（８０）の深さは、前記第１ポケット（７０）よりも浅い
ことを特徴とする請求項１〜４のいずれか一項に記載のブラジャー（１）。
【請求項６】
前記第１ポケット口（７２）は、上側に開口し、
前記第２ポケット（８０）は、前記第１ポケット（７０）の上側に配置された第２ポケット布（８１）を備え、前記第２ポケット布（８１）の下部が折り返されて前記第２ポケット（８０）の底部が形成され、
前記第２ポケット（８０）の底部が前記第１ポケット口（７２）に重ねられ、前記第１ポケット口（７２）の蓋部（８４）が設けられる
ことを特徴とする請求項１〜５のいずれか一項に記載のブラジャー（１）。
【請求項７】
１対の前記カップ部（２）の前中心側に連結部（６）を備え、
前記連結部（６）は、スナップボタン、面ファスナー及びフックのうちの１つ以上を備え、１対の前記カップ部（２）の前中心側を分離又は連結する
ことを特徴とする請求項１〜６のいずれか一項に記載のブラジャー（１）。
【考案の詳細な説明】
【技術分野】
【０００１】
本考案は、ブラジャーに関する。
【背景技術】
【０００２】
ブラジャーには、カップ部の内側にパッドが設けられることがある。特に乳がん等によって乳房を切除した患者のための医療用のブラジャーには、自然なバストライン等のバストの造形を目的としてパッドが使用されている。
【０００３】
具体的には、カップ部の内側にパッドを出し入れ可能なポケットが設けられ、そのポケットにパッドが収容される（特許文献１参照）。
【０００４】
２つのポケットでパッドの動きを規制するブラジャー（特許文献２参照）や、サイズが異なる複数のポケットをカップ部の内側に重ねて、パッドのサイズを選択できるブラジャー（特許文献３参照）も提案されている。
【先行技術文献】
【特許文献】
【０００５】
【特許文献１】実用新案登録第３１１８２２７号
【特許文献２】特許第５５８８０７６号公報
【特許文献３】特開２００４−３３２１３４号公報
【考案の概要】
【考案が解決しようとする課題】
【０００６】
医療用のブラジャーの場合、乳房の状態に合わせてパッドを選択できるように、サイズ及び形状が異なる多くの種類のパッドが提供されている。なかには、他のパッドと組み合わせて使用できるパッドもある。
【０００７】
しかしながら、上記特許文献１及び２によれば、１つのパッドを収容することはできるが、複数のパッドを収容できず、２種のパッドを組み合わせて使用することができない。
【０００８】
上記特許文献３によれば、複数のポケットにそれぞれパッドを収容できるかもしれないが、複数のポケットはカップ部の内側に重なる。そのため、パッドの保持位置を選択できず、複数のパッドを組み合わせてバストを造形することができない。
【０００９】
本考案は、複数種類のパッドを選択し得るブラジャーの提供を目的とする。
【課題を解決するための手段】
【００１０】
本考案の一態様のブラジャー（１）は、カップ部（２）の内側にパッド（９０〜９５）を保持する第１ポケット（７０）を備えたブラジャーにおいて、カップ部（２）の内側にさらに第２ポケット（８０）を備え、第１ポケット（７０）は、パッド（９０〜９５）を出し入れする第１ポケット口（７２）と、第１ポケット口（７２）に連通する第１開口部（７３）とを備え、第１ポケット口（７２）は、第２ポケット（８０）により覆われ、第２ポケット（８０）は、パッド（９０〜９５）を出し入れする第２ポケット口（８２）と、第１ポケット口（７２）に連通する第２開口部（８３）とを備える。
【考案の効果】
【００１１】
本考案によれば、複数種類のパッドを選択し得るブラジャーを提供することができる。
【図面の簡単な説明】
【００１２】
【図１】本実施形態のブラジャーの外観を示す斜視図である。
【図２】本実施形態のブラジャーを内側から示す平面図である。
【図３】図２に示すブラジャーから第２ポケットを取り除いた平面図である。
【図４】パッドの収容例を示す平面図である。
【図５】パッドの収容例を示す平面図である。
【図６】パッドの収容例を示す平面図である。
【図７Ａ】パッドを収容する前の図５中のＡ−Ａ線における断面図である。
【図７Ｂ】パッドを収容した後の図５中のＡ−Ａ線における断面図である。
【図８】連結部によりカップ部の前中心の下側が連結された状態を示す斜視図である。
【考案を実施するための形態】
【００１３】
以下、本考案のブラジャーの実施の形態について、図面を参照して説明する。以下に説明する構成は、本考案の一実施態様であり、本考案はこれに限定されない。
【００１４】
なお以下の説明において、上とは図面中の方向Ｙ１をいい、下とは図面中の方向Ｙ２をいう。また右とは図面中の方向Ｘ１をいい、左とは図面中の方向Ｘ２をいう。
【００１５】
図１は、本考案の一実施形態のブラジャー１の外観を示す。
図１に示すように、ブラジャー１は、１対のカップ部２、背面部３及び１対の肩部４を備える。
【００１６】
カップ部２は、着用者のバストを覆う。背面部３は、カップ部２の左右両脇から着用者の背面に延びて背面を覆う。肩部４は、カップ部２と背面部３とを連結し、着用者の左右の肩に掛けられる。  
【００１７】
ブラジャー１は、例えば襟ぐり及び袖ぐりを有する前身頃５１と後身頃５２とを、それぞれの肩と脇を連結することで形成される。
【００１８】
前身頃５１及び後身頃５２の素材は、着用者が動作しやすいことから、柔軟性及び伸縮性を有することが好ましい。また、吸汗性を有する素材も、着用時の快適性を向上させることができ、好ましい。そのような素材としては、例えば綿、アクリル、ナイロン、ポリウレタン等が挙げられる。
【００１９】
本実施形態のブラジャー１は、カップ部２の下端に設けられたゴム等の伸縮部材５３を備える。伸縮部材５３により、ブラジャー１が着用者の身体にフィットしやすくなる。
【００２０】
また本実施形態において、１対のカップ部２は前中心Ｚで分割される。ブラジャー１は、分割された各カップ部２の前中心Ｚ側に連結部６を備える。連結部６は、各カップ部２を連結又は分離できる。
【００２１】
（カップ部）
図２は、ブラジャー１を着用者と接する内側から示す平面図である。
図２に示すように、ブラジャー１は、カップ部２の内側に第１ポケット７０、第２ポケット８０及びパッド９０を備える。
【００２２】
図３は、第２ポケット８０を取り除いたカップ部２を内側から示す平面図である。
図２及び図３に示すように、第２ポケット８０は、第１ポケット７０より内側、すなわち着用者側に位置する。
【００２３】
（第１ポケット）
第１ポケット７０は、第１ポケット布７１、第１ポケット口７２及び第１開口部７３を備える。第１ポケット７０は、第１ポケット口７２を介してパッド９０を出し入れできる。
【００２４】
第１ポケット布７１の前中心Ｚ側及び下側の各端部と脇側の端部の上側とが、前身頃５１に縫い合わされている。
【００２５】
第１ポケット布７１の素材は、伸縮性を有することが好ましい。これにより、着用時の快適性が向上するとともに、パッド９０の出し入れが容易になる。
【００２６】
本実施形態の第１ポケット布７１は方形状であるが、その形状は特に限定されない。
【００２７】
第１ポケット口７２は、上側に開口する。第１ポケット口７２は、第１ポケット布７１が前身頃５１に縫い合わされていない上側の部分である。
【００２８】
第１ポケット口７２の上端は、外側に折り返されていてもよい。外側とは、内側の反対側をいう。この折り返しにより、第１ポケット７０に収容されたパッド９０の第１ポケット口７２からの脱落を防ぎやすい。
【００２９】
第１ポケット口７２の上には第２ポケット８０が重ねられ、第１ポケット口７２は第２ポケット８０により覆われる。本実施形態の第２ポケット８０は、第１ポケット７０の上側に位置し、第２ポケット８０の下側の一部が第１ポケット口７２を覆う。
【００３０】
第１ポケット口７２を覆う第２ポケット８０の一部は、第１ポケット口７２の蓋部８４として設けられる。蓋部８４により、第１ポケット７０からのパッド９０の脱落を減らすことができる。
【００３１】
第１開口部７３は、脇側に開口する。第１開口部７３は、前身頃５１に縫い合わされていない第１ポケット布７１の脇側の一部である。具体的には、第１ポケット布７１の脇側の端部の上側、すなわち蓋部８４と重なる部分が前身頃５１に縫い合わされ、蓋部８４の下側が縫い合わされずに開口する。
【００３２】
第１開口部７３は、第１ポケット口７２と連通する。
【００３３】
本実施形態の第１ポケット７０のサイズは、第２ポケット８０よりも大きい。
【００３４】
（第２ポケット）
第２ポケット８０は、第２ポケット布８１、第２ポケット口８２及び第２開口部８３を備える。第２ポケット８０は、第２ポケット口８２を介してパッド９０を出し入れできる。
【００３５】
第２ポケット布８１の下部は折り返され、前中心Ｚ側、脇側、襟ぐり側及び袖ぐり側の端部が前身頃５１に縫い合わされる。折り返し部分は第２ポケット８０の底部であり、この底部が第１ポケット口７２に重ねられて蓋部８４として設けられる。
【００３６】
第２ポケット布８１の素材は、伸縮性を有することが好ましい。これにより、着用時の快適性が向上するとともに、パッド９０の出し入れが容易になる。
【００３７】
第２ポケット布８１の上端は、前中心Ｚから襟ぐりに沿って上側へと延び、襟ぐりから斜め下方に延びて、袖ぐりに沿って下方へ延びる略山形の形状を有している。第２ポケット布８１の脇側及び前中心Ｚ側の側端部は、上端から下端に向かって下方に延びる。第２ポケット８１の下端は、第１ポケット口７２の下側に位置する。
【００３８】
なお第２ポケット布８１の形状はこれに限定されない。例えば第２開口部８３を形成する第２ポケット布８１の上端は、襟ぐりから袖ぐりへと水平に伸びる形状であってもよい。
【００３９】
第２ポケット口８２は、上側に開口する。第２ポケット口８２は、第２ポケット布８１を折り返したときの上部の開口である。
【００４０】
第２開口部８３は、上側に開口する。第２開口部８３は、前身頃５１の肩部４において、前身頃５１に第２ポケット布８１が縫い合わされていない部分である。
【００４１】
第２開口部８３は、第１ポケット口７２及び第１開口部７３と連通する。また第２開口部８３は、第２ポケット口８２とも連通する。
【００４２】
本実施形態の第２ポケット８０の上端から下端までの深さは、第１ポケット口７２の深さよりも浅い。
【００４３】
（パッド）
本実施形態のパッド９０は第１ポケット７０によりカップ部２の内側に保持されるが、パッド９０は第２ポケット８０によりカップ部２の内側に保持されてもよい。また第１ポケット７０と第２ポケット８０のそれぞれに１種又は２種以上のパッド９０が保持されてもよい。
【００４４】
パッド９０の素材としては、例えばウレタン、シリコン、綿、不織布等の柔軟性及び弾力性を有する材料を使用できる。またパッド９０は、使い捨てパッドであってもよい。
【００４５】
パッド９０は、第１ポケット７０に収容された場合はカップ部２の上側に保持され、第２ポケット８０に収容された場合はカップ部２の下側に保持される。
【００４６】
本実施形態のパッド９０は円形状であるが、形状は特に限定されず、例えば三角形状、楕円形状、四角形状、レモン形状等であってもよいし、不規則な形状であってもよい。
【００４７】
また本実施形態のパッド９０は、第１ポケット７０に収まるサイズを有するが、一部が第１ポケット７０又は第２ポケット８０のサイズを超えるパッド９０も使用可能である。
【００４８】
例えば、第１ポケット７０内のパッド９０の一部は、第１ポケット口７２に連通する第１開口部７３又は第２開口部８３から露出し得る。同様に、第２ポケット８０内のパッド９０の一部は、第２ポケット口７２に連通する第２開口部８３から露出し得る。
【００４９】
パッド９０の形状及びサイズは、第１ポケット７０と第２ポケット８０とで同じであっても異なっていてもよい。
【００５０】
図４〜図６は、カップ部２に保持されるパッド９１〜９５の例を示す。
図４は、三角形状のパッド９１の例を示す。パッド９１は、バストとバストの上方も覆う大きなサイズを有し、第１ポケット７０により保持される。パッド９１の上側の一部は第２開口部８３から露出し、脇側の一部は第１開口部７３から露出する。
【００５１】
図５は、サイズが異なる２つのパッド９２及び９３の例を示す。パッド９２及び９３は、いずれも楕円形状である。パッド９２は第１ポケット７０に保持され、パッド９２よりもサイズが小さいパッド９３は第２ポケット８０に保持される。
【００５２】
図６は、形状が異なる２つのパッド９４及び９５の例を示す。第１ポケット７０に保持されるパッド９４は円形状であり、第２ポケット８０に保持されるパッド９５は三角形状である。パッド９４の上側の一部は第２開口部８３から露出する。
【００５３】
各カップ部２で使用するパッド９０の数及び種類は同じであってもよいし、異なっていてもよい。例えば、右側のカップ部２では、図４に示すパッド９１を使用し、左側のカップ部２では、図５に示すパッド９２及び９３を使用してもよい。また一方のカップ部２にはパッド９０を使用せず、他方のカップ部２にのみパッド９０を使用してもよい。
【００５４】
このように、第１ポケット７０及び第２ポケット８０により、左右のカップ部２で使用するパッド９０の数と種類を選択できる。また下側の第１ポケット７０に収容するか、上側の第２ポケット８０に収容するかによって、パッド９０の保持位置を選択できる。
【００５５】
そのため、ブラジャー１は、乳房を切除した患者のための医療用ブラジャーとして特に有用である。１サイズのブラジャー１で、着用者に応じたパッド９０の選択が可能であり、汎用性も高い。
【００５６】
（パッドの保持方法）
図７Ａ及び図７Ｂは、図５中のＡ−Ａ線における断面図である。図７Ａはパッド９２及び９３を収容する前の状態を示し、図７Ｂは収容した後の状態を示す。
【００５７】
パッド９２を第１ポケット７０に保持する場合、蓋部８４を持ち上げて第１ポケット７０と第２ポケット８０の間へパッド９２を挿入する。次いで第１ポケット口７２から第１ポケット７０の内部へパッド９２を挿入する。
【００５８】
パッド９３を第２ポケット８０に保持する場合、同様に蓋部８４を持ち上げて第１ポケット７０と第２ポケット８０の間へパッド９２を挿入する。さらにパッド９３を第１ポケット７０の上側へ持ち上げて、第２ポケット口８２から第２ポケット８０の内部へパッド９３を挿入する。
【００５９】
（連結部）
連結部６は、１対の面ファスナー６１及び１対のスナップボタン６２を備える。
【００６０】
面ファスナー６１は、左右のカップ部２の前中心Ｚ側の端部に設けられる。一方の面ファスナー６１の接着面はカップ部２の内側に、他方の面ファスナー６１の接着面はカップ部２の外側に設けられる。
【００６１】
本実施形態では、カップ部２の前中心Ｚ側の下端から上端までの全面に１つの面ファスナー６１が設けられているが、下端から上端までの間に複数の面ファスナー６１が間隔を空けて設けられてもよい。
【００６２】
スナップボタン６２は、カップ部２の前中心Ｚ側であって、面ファスナー６１の下側の伸縮部材５３に設けられる。面ファスナー６１だけでも連結できるが、１対のスナップボタン６２を係合させることで、連結の操作が容易になるとともに連結状態を維持しやすくなる。
【００６３】
図８は、左右のカップ部２を下側から連結する様子を示す。
図８に示すように、スナップボタン６２を係合させて左右のカップ部２の位置を前中心Ｚで固定した後、面ファスナー６１を下側から上側へと接着させることにより、片手でも面ファスナー６１の接着が可能になる。
【００６４】
カップ部２の連結とその解除の操作が容易であるため、手の力が弱い着用者、例えば乳房の切除手術後の患者や高齢者であってもブラジャー１を容易に脱着することができる。また介護者等の着用を補助する者にとっても、ブラジャー１の着脱が容易となる。
【００６５】
以上のように、本実施形態のブラジャー１によれば、カップ部２の内側に第１ポケット７０及び第２ポケット８０を備えるため、２種以上のパッド９０を選択して使用できる。
【００６６】
第１ポケット７０の第１ポケット口７２は、第２ポケット８０により覆われるため、第１ポケット７０からのパッド９０の脱落を減らすことができる。
【００６７】
第１ポケット口７２は、第１開口部７３と第２開口部８３とに連通するため、第１ポケット７０に収容したパッド９０が第１開口部７３又は第２開口部８３から露出し得る。第１ポケット７０のサイズを超えるパッド９０を収容でき、保持するパッド９０のサイズの自由度が向上する。
【００６８】
以上、本考案の好ましい実施形態について説明したが、本考案は、これらの実施形態に限定されず、その要旨の範囲内で種々の変形及び変更が可能である。
【００６９】
例えば、ブラジャーに限らず、カップ付きのタンクトップ、スリップ、キャミソール、ドレスの他、ボディスーツ、スリーインワン、レオタード、水着等のバストをサポートするカップ部を有し、パッドによってバストの保形、整形等の造形が可能な衣類であれば、いずれにも本考案を適用できる。
【００７０】
また上記実施形態において、第１ポケット７０のサイズは第２ポケット８０よりも大きかったが、収容するパッド９０のサイズ等に応じて、第２ポケット８０のサイズが第１ポケット７０よりも大きくてもよい。
【００７１】
同様に第２ポケット８０の上端から下端までの深さは、収容するパッド９０のサイズ等に応じて、第１ポケット口７２の深さよりも深くてもよい。
【００７２】
また上記実施形態において１対のカップ部２は前中心Ｚで分割されるが、後中心で分割されてもよいし、カップ部２の分割がなくてもよい。
【００７３】
また連結部６は、左右のカップ部２の前中心Ｚ側に設けられる１対のフックを備えて、フックの係止と係止解除によりカップ部２の分離と連結を行う構成でもよい。フックは、フックアイ、ホック等とも呼ばれる。
【００７４】
連結部６は、スナップボタン６２、面ファスナー６１及びフックのうちのいずれか１種を単独で又は２種以上を組み合わせて、カップ部２の分離と連結を行ってもよい。
【符号の説明】
【００７５】
１・・・ブラジャー、２・・・カップ部、７０・・・第１ポケット、７２・・・第１ポケット口、７３・・・第１開口部、８０・・・第２ポケット、８２・・・第２ポケット口、８３・・・第２開口部、８４・・・蓋部、９０〜９５・・・パッド、６・・・連結部
【図１】
0003224254.tif 000003
【図２】
0003224254.tif 000004
【図３】
0003224254.tif 000005
【図４】
0003224254.tif 000006
【図５】
0003224254.tif 000007
【図６】
0003224254.tif 000008
【図７Ａ】
0003224254.tif 000009
【図７Ｂ】
0003224254.tif 000010
【図８】
0003224254.tif 000011